(57)【特許請求の範囲】
【請求項１】
皮部表面側に毛部を有する帯状の毛付皮の長さ方向に、左右を完全分離させないが一部左右を分断する分断部を形成し、この分断部により形成される貫通開口部にこの毛付皮の端部を挿通して折り返し反転することを繰り返し、表裏双方に毛部が表出するように構成したことを特徴とする毛皮製品。
【請求項２】
皮部表面側に毛部を有する帯状の毛付皮の長さ方向に、左右を完全分離させないが一部左右を分断する縦長スリット状の分断部をこの長さ方向に間隔を置いて複数形成し、この一の分断部により形成される一の貫通開口部にこの毛付皮の端部を挿通して折り返し反転若しくはこの反転を繰り返し、次の一の分断部により形成される一の貫通開口部にもこの毛付皮の端部を挿通して折り返し反転若しくはこの反転を繰り返して、この反転以前の前記毛付皮の皮部裏面側の無毛部が、表裏双方において毛部により覆われるように構成したことを特徴とする請求項１記載の毛皮製品。
【請求項３】
前記分断部は、前記帯状の毛付皮の略中央位置を長さ方向に切断刃により所定長切断して形成した切り込みとしたことを特徴とする請求項１，２のいずれか１項に記載の毛皮製品。
【請求項４】
前記分断部は、前記帯状の毛付皮を複数並設若しくは重合し、この並設外側縁部若しくは重合外側縁部を部分的に止着して、前記複数の毛付皮により前記一の毛付皮を形成し、この毛付皮の止着していない部分により形成したことを特徴とする請求項１，２のいずれか１項に記載の毛皮製品。
【請求項５】
一端が前記毛付皮の外側縁に達する若しくは外側縁付近に至る縁切り込みを多数並設形成した前記毛付皮の端部を、前記分断部により形成した貫通開口部に挿通して折り返し反転することを繰り返し、表裏双方に毛部が表出するように構成したことを特徴とする請求項１〜３のいずれか１項に記載の毛皮製品。
【請求項６】
前記縁切り込みを前記分断部の左右に夫々多数並設形成したことを特徴とする請求項４記載の毛皮製品。
【請求項７】
前記一の毛付皮の左右外側縁部同志若しくは複数の前記毛付皮を重合配設し双方の外側縁部を間隔を置いて部分的に止着し、この外側縁部を部分的に止着した毛付皮の端部を、前記外側縁部同志を止着していない部分と切り込みによる分断部若しくは係止していない部分のみによる分断部により形成された貫通開口部に挿通して折り返し反転することを繰り返し、表裏双方に毛部が表出するように構成したことを特徴とする請求項１〜５のいずれか１項に記載の毛皮製品。
【請求項８】
前記止着していない部分を前記分断部として長さ方向に間隔を置いて複数形成して、前記貫通開口部を長さ方向に間隔を置いて複数形成し、この一の貫通開口部に前記重合連結した毛付皮の端部を挿通して折り返し反転若しくはこの反転を繰り返し、次の一の貫通開口部にもこの毛付皮の端部を挿通して折り返し反転若しくはこの反転を繰り返して、捩れた状態で表裏双方に毛部が表出するように構成したことを特徴とする請求項６記載の毛皮製品。
【発明の詳細な説明】
【０００１】
【発明の属する技術分野】
本発明は、例えばえり巻き、又はえりやえりの縁部若しくはフードの縁部に付設する縁製品などに使用する毛皮製品に関するものである。
【０００２】
【従来の技術及び発明が解決しようとする課題】
従来の毛皮製品は、獣の毛付皮を切欠したり縫い合わせたりして所定形状に形成し、この所定形状に形成した毛付皮の皮部の裏側に布生地などの裏地を縫い付けて構成している。
【０００３】
また、従来、二片の毛付皮の皮部裏面同士を単に重ね合わせて縫い合わせることにより、表裏両面双方に毛部を有するように構成した毛皮製品もあるが、このような毛皮製品は、前記のような表面側にのみ毛部を有する毛皮製品に比して材料(毛付皮)の使用量が二倍になり、また、これによって二倍のコスト高ともなってしまう。
【０００４】
本発明者は、このような現状に鑑み、もっとコスト安にして質感と量感のある毛皮製品を構成できないかと思案し、たとえ一製品分の毛付皮しか使用しない構成であっても簡易な手法により表裏両面双方に毛部を有し、捩れにより非常に質感と量感があり、デザイン性にも秀れた画期的な構成の毛皮製品を発明した。
【０００５】
また、切り込みの有無にかかわらず、たとえ毛付皮の使用量が二倍となっても、例えば単に二枚の毛付皮を並設あるいは重合し、連結しない部分により貫通開口部を形成し、これに単に端部を通して反転(くぐり反転)する簡単な操作で、量感が一挙に増すと共に、簡単な手法で量産性に秀れながら、毛に捩れを与えることができ、非常に斬新でバリエーションに富んだ表面形状に加工でき、例えば重合する毛付皮の質や色を夫々変えたりすることで、一層変化に富んだデザインを容易に施すことも可能な画期的な構成の毛皮製品を提供することを目的としている。
【０００６】
【課題を解決するための手段】
添付図面を参照して本発明の要旨を説明する。
【０００７】
皮部１表面側に毛部２を有する帯状の毛付皮Ａの長さ方向に、左右を完全分離させないが一部左右を分断する分断部３を形成し、この分断部３により形成される貫通開口部３’にこの毛付皮Ａの端部を挿通して折り返し反転することを繰り返し、表裏双方に毛部２が表出するように構成したことを特徴とする毛皮製品に係るものである。
【０００８】
また、皮部１表面側に毛部２を有する帯状の毛付皮Ａの長さ方向に、左右を完全分離させないが一部左右を分断する縦長スリット状の分断部３をこの長さ方向に間隔を置いて複数形成し、この一の分断部３により形成される一の貫通開口部３’にこの毛付皮Ａの端部を挿通して折り返し反転若しくはこの反転を繰り返し、次の一の分断部３により形成される一の貫通開口部３’にもこの毛付皮Ａの端部を挿通して折り返し反転若しくはこの反転を繰り返して、この反転以前の前記毛付皮Ａの皮部１裏面側の無毛部が、表裏双方において毛部２により覆われるように構成したことを特徴とする請求項１記載の毛皮製品に係るものである。
【０００９】
また、前記分断部３は、前記帯状の毛付皮Ａの略中央位置を長さ方向に切断刃により所定長切断して形成した切り込みとしたことを特徴とする請求項１，２のいずれか１項に記載の毛皮製品に係るものである。
【００１０】
また、前記分断部３は、前記帯状の毛付皮Ａを複数並設若しくは重合し、この並設外側縁部５若しくは重合外側縁部５を部分的に止着して、前記複数の毛付皮Ａにより前記一の毛付皮Ａを形成し、この毛付皮Ａの止着していない部分により形成したことを特徴とする請求項１，２のいずれか１項に記載の毛皮製品に係るものである。
【００１１】
また、一端が前記毛付皮Ａの外側縁に達する若しくは外側縁付近に至る縁切り込み４を多数並設形成した前記毛付皮Ａの端部を、前記分断部３により形成した貫通開口部３’に挿通して折り返し反転することを繰り返し、表裏双方に毛部２が表出するように構成したことを特徴とする請求項１〜３のいずれか１項に記載の毛皮製品に係るものである。
【００１２】
また、前記縁切り込み４を前記分断部３の左右に夫々多数並設形成したことを特徴とする請求項４記載の毛皮製品に係るものである。
【００１３】
また、前記一の毛付皮Ａの左右外側縁部５同志若しくは複数の前記毛付皮Ａを重合配設し双方の外側縁部５を間隔を置いて部分的に止着し、この外側縁部５を部分的に止着した毛付皮Ａの端部を、前記外側縁部５同志を止着していない部分と切り込みによる分断部３若しくは係止していない部分のみによる分断部３により形成された貫通開口部３’に挿通して折り返し反転することを繰り返し、表裏双方に毛部２が表出するように構成したことを特徴とする請求項１〜５のいずれか１項に記載の毛皮製品に係るものである。
【００１４】
また、前記止着していない部分を前記分断部３として長さ方向に間隔を置いて複数形成して、前記貫通開口部３’を長さ方向に間隔を置いて複数形成し、この一の貫通開口部３’に前記重合連結した毛付皮Ａの端部を挿通して折り返し反転若しくはこの反転を繰り返し、次の一の貫通開口部３’にもこの毛付皮Ａの端部を挿通して折り返し反転若しくはこの反転を繰り返して、捩れた状態で表裏双方に毛部２が表出するように構成したことを特徴とする請求項６記載の毛皮製品に係るものである。
【００１５】
【発明の実施の形態】
好適と考える本発明の実施の形態（発明をどのように実施するか）を、図面に基づいてその作用効果を示して簡単に説明する。
【００１６】
毛付皮Ａの皮部１表面側は、毛部２が密集して覆われているが、反対側の裏面側は無毛部であり皮面が露出している。
【００１７】
このような毛付皮Ａ二枚を単に無毛部同志(裏面同志)を重合縫着して表裏に毛部２が表出した製品を得るのではなく、本発明は、毛付皮Ａに例えば切り込みによる分断部３を形成、例えば長さ方向に所定長さの切り込み３を間隔を置いて複数形成し、この切り込み３を貫通開口部３’として毛付皮Ａの端部をこの貫通開口部３’に複数回潜らせて毛付皮Ａを複数回反転させ、更に例えば次の切り込み３(貫通開口部３’)へもこの毛付皮Ａの端部を複数回潜らせてこの毛付皮Ａを複数回反転させることで、切り込み３の左右は反転した分だけ捩れていき、表裏に捩れ配設される毛部２のボリュームにより無毛部は覆われて、無毛部(皮面)の存在が視認あるいは認識できなくなると共に貫通開口部３’の存在も視認あるいは認識できなくなる。
【００１８】
従って、例えば一本の帯状の毛付皮Ａを用いて、これに縫製作業も要せず、材料(毛付皮Ａ)もこの一本だけであっても、表裏に毛部２が表出した製品、即ち、表裏において皮面は見えなく、毛部２が一様に密集した皮製品を簡易な折り返し反転作業だけで得ることができる。
【００１９】
しかも、単に切り込み３を一乃至は複数設けて、潜り反転を夫々１回又は夫々数回あるいは多数回繰り返すだけで良い構成となるため、製作もスピーディーに行なえ、量産性に秀れ、コスト高ともならず、また非常に質感・量感とも秀れデザイン性にも富んだ商品価値の高いものを製作できることとなる。
【００２０】
また、更に様々な改良を施すことで、量感を上げることも容易であり、様々な形態に製作でき、デザインバリエーションにも富む画期的な構成となり、特にえり巻きとして製品化した場合には、図３に示すように、前記貫通開口部３’がえり巻き係止する際の通し孔(係止孔)として利用でき、この貫通開口部３’を複数毛付皮Ａの長さ方向に設ければ、一層表裏双方に毛部２が密集し、量感に富むと共に、長さ方向に通し孔が複数形成され、えり巻きの巻き係止位置も調整できる非常に秀れたえり巻き用毛皮製品となる。
【００２１】
また、単に複数の毛付皮Ａを並設若しくは重合あるいは丸め状態に形成し、連結(止着)しない部分により貫通開口部３’を形成し、これに単に端部を通して反転(くぐり反転)する簡単な操作で、量感が一挙に増すと共に、簡単な手法で量産性に秀れながら、毛部２に捩れを与えることができ、非常に斬新でバリエーションに富んだ表面形状に加工でき、例えば重合する毛付皮Ａの質や色を夫々変えたりすれば、一層変化に富んだデザインを容易に施すことも可能な毛皮製品となる。
【００２２】
【実施例】
本発明の具体的な実施例について図面に基づいて説明する。
【００２３】
本実施例の毛皮製品の製造方法について説明しつつ、各実施例について説明する。
【００２４】
図１〜図３は第一実施例を示すもので、本実施例では、皮部１表面側に毛部２を有する帯状の毛付皮Ａの長さ方向に、左右を完全分離させないが一部左右を分断する縦長スリット状の(分断部３としての)切り込み３をこの長さ方向に間隔を置いて一切目ずつ複数形成する。
【００２５】
この切り込み３は、前記帯状の毛付皮Ａの略中央位置を長さ方向にカッターなどの切断刃により所定長切断して形成する。薄皮であるため、簡単に切り込みでき、また挿通時に左右に引き拡げれば、十分な幅の貫通開口部３’となる。
【００２６】
この一の切り込み３により形成される一の貫通開口部３’にこの毛付皮Ａの端部を挿通して折り返し反転することを繰り返し、次の一の切り込み３により形成される一の貫通開口部３’にもこの毛付皮Ａの端部を挿通して折り返し反転することを繰り返すことで、この反転以前の毛付皮Ａの皮部１裏面側の無毛部が、表裏双方において毛部２により覆われる。即ち、本実施例では、毛付皮Ａの一端部から他端部まで所定間隔を置いて、夫々略中央に所定長さの切り込み３を一切目ずつ複数形成し、この毛付皮Ａの一端部を先ず最もこの端部寄りの切り込み３による貫通開口部３’に潜らせて反転させることを数回繰り返した後、次の切り込み３の貫通開口部３’に同様に潜らせて反転させることを繰り返し、全ての切り込み３に対して同様の反転作業を繰り返す。これにより、もはや無毛部(皮面)は見えなくなり、切り込み３を境にした左右に毛部２が表裏捩れて配設され、この毛部２のボリュームにより全体として表裏に毛部２が表出し、量感のある棒状となって全周略一様に毛部２が密生し、切り込み３の存在も全くわからない状態のデザイン性に富んだ毛皮製品となる。この切り込み３の長さや数並びに反転回数を調整することで、全体デザインを変えることができ、各切り込み３に対する反転回数を変えることで全体のボリュームバランスも変えることができる。
【００２７】
また、図４，図５により示す第二実施例では、切り込み３に加えて、更に、一端が外側縁に達する縁切り込み４を切り込み３の左右に多数並設形成し、この毛付皮Ａの端部を、前述したように前記切り込み３により形成した貫通開口部３’に挿通して折り返し反転することを繰り返し、表裏双方に毛部２が表出するようにしている。この場合には、前記縁切り込み４により更に皮面が細く切られているため、前記切り込み３の左右での捩れによって毛付皮Ａが縁切り込み４の前後で捩れ、一層毛部２が細かく表裏に表れ、非常に変化の富んだ状態となり、量感も増しデザイン性にも秀れる。
【００２８】
また、図６，図７に示す第三実施例においては、第二実施例と同様に切り込み３と縁切り込み４(本実施例では、外側縁に至っていない)を形成した上で、前記毛付皮Ａの左右外側縁部５同志を間隔を置いて部分的に止着し、この左右外側縁部５同志を部分的に止着した毛付皮Ａの端部を、前記左右外側縁部５同志を止着していない部分(切り込み３と対向する部分)を介して、前記切り込み３により形成された貫通開口部３’に挿通して折り返し反転することを繰り返し、表裏双方に毛部２が表出するように構成している。
【００２９】
従って、反転による捩れによって非常に量感を増し、また違ったデザインとなり、一本の毛付皮Ａでありながら、量感があり、デザイン性に富んだ無毛部のない(見えない)皮製品となる。
【００３０】
また、いずれの実施例でも、一本の毛付皮Ａを用いたが、二本の毛付皮Ａを縫着重合し、例えば夫々に切り込み３を略対向位置に形成し、この切り込み３・３を貫通開口部３’・３’として、二本重ねた毛付皮Ａの端部を同様にこの貫通開口部３’・３’に潜らせて反転させることで形成しても良く、この場合、二本の毛付皮Ａを使用しコスト高とはなるが、更にデザイン性に富むと共に、夫々の毛の材質を変えたり、毛色を変えたりすることで二種が入り混じった特殊模様を表出することもできる。
【００３１】
また、図８に示す第四実施例は、二本の毛付皮Ａを並設し、この左右外側縁部５同志を部分的に縫着して一の毛付皮Ａを構成し、この縫着していない部分を分断部３として、この分断部３を長さ方向に間隔を置いて夫々対向状態に複数形成して、前記貫通開口部３’を長さ方向に間隔を置いて複数形成し、先ずこの最も端部寄りの貫通開口部３’にこの並設した毛付皮Ａの端部を挿通して折り返し反転を繰り返し、次の貫通開口部３’にもこの毛付皮Ａの端部をこのくぐり反転を繰り返して、一様に捩れた状態で表裏双方に毛部２が量感をもって表出するように構成している。
【００３２】
また、図９に示す第五実施例は、皮部１表面側に毛部２を有する帯状の毛付皮Ａを重合状態に配設し、この双方の毛付皮Ａの外側縁部５を間隔を置いて部分的に止着して一の毛付皮Ａを構成し、前記止着していない部分を長さ方向に間隔を置いて夫々対向状態に複数形成して、前記貫通開口部３’を長さ方向に間隔を置いて複数形成し、先ずこの最も端部寄りの貫通開口部３’にこの重合した毛付皮Ａの端部を挿通して折り返し反転を繰り返し、次の貫通開口部３’にもこの毛付皮Ａの端部をこのくぐり反転を繰り返して、一様に捩れた状態で表裏双方に毛部２が量感をもって表出するように構成している。
【００３３】
また例えば、並設あるいは重合する毛付皮Ａの毛部２の色を変えると、一様に捩れた毛部２は、その色が相互に表れ、一様に捩れていることでボリュームがある上、非常にデザイン性が高まると共に、この色の変化も非常に特異で単なる染めでは表せないデザインとなる。
【００３４】
また、この分断部３を切り込みにより形成するか、部分止着によって止着していない部分によって形成するか否か、またそのの形成数や間隔、各分断部３に対するくぐり反転回数の調整により様々なデザインバリエーションを持つこととなり、しかも一の毛付皮Ａを構成する各毛付皮Ａの色や質の変化を組み合わせることで、一層バリエーションを増す画期的な構成となる。
【００３５】
尚、本発明は、本実施例に限られるものではなく、各構成要件の具体的構成は適宜設計し得るものである。
【００３６】
【発明の効果】
本発明は上述のように構成したから、たとえ一製品分の毛付皮しか使用しない構成であっても簡易な手法により表裏両面双方に毛部を有し、非常に質感と量感があり、デザイン性にも秀れた画期的な構成の毛皮製品を提供できることとなる。
【００３７】
また、特に請求項２記載の発明においては、たとえ一本の毛付皮を用いた構成としても、表裏に毛部が表出した製品、即ち、表裏において皮面は見えなく、毛部が一様に密集した皮製品を簡易な折り返し反転作業だけで得ることができ、しかも、単に切り込みを一乃至は複数設けて、潜り反転を夫々１回又は夫々数回あるいは多数回繰り返すだけで良い構成となるため、製作もスピーディーに行なえ、量産性に秀れ、コスト高ともならず、また非常に質感・量感とも秀れデザイン性にも富んだ商品価値の高いものを製作できることとなる極めて画期的な毛皮製品となる。
【００３８】
また、請求項３記載の発明においては、一層容易に本発明を実現でき、極めて実用性に秀れた画期的な毛皮製品となる。
【００３９】
また、請求項４，５，６記載の発明においては、更に簡易な改良を施し、同様な反転作業を行なうだけで、一層量感を増したり、デザインに変化を与えてデザイン性を富ますことができ、一層秀れた毛皮製品となる。
【００４０】
また、請求項７，８記載の発明であって、毛付皮を二本並設あるいは重合止着する発明においては、非常に質感と量感があり、一層デザイン性にも秀れた画期的な構成の毛皮製品を提供できることとなる。
【００４１】
即ち、単に二枚の毛付皮を並設あるいは重合し、止着連結しない部分により分断部を形成し、これに単に端部を通して反転(くぐり反転)する簡単な操作で、量感が一挙に増すと共に、簡単な手法で量産性に秀れながら、毛に捩れを与えることができ、非常に斬新でバリエーションに富んだ表面形状に加工でき、例えば並設あるいは重合する毛付皮の質や色を夫々変えたりすれば、一層変化に富んだデザインを容易に施すことも可能な画期的な毛皮製品となる。
【図面の簡単な説明】
【図１】第一実施例の製作手順を示す説明斜視図である。
【図２】第一実施例の製作途中を示す説明斜視図である。
【図３】第一実施例のえり巻きとしての使用状態を示す説明斜視図である。
【図４】第二実施例の製作手順を示す説明斜視図である。
【図５】第二実施例のえり巻きとしての使用状態を示す説明斜視図である。
【図６】第三実施例の製作手順を示す説明斜視図である。
【図７】第三実施例のえり巻きとしての使用状態を示すである。
【図８】第四実施例の製作手順を示す説明図である。
【図９】第五実施例の製作手順を示す説明図である。
【符号の説明】
Ａ  毛付皮
１  皮部
２  毛部
３  分断部
３’  貫通開口部
４  縁切り込み
５  左右外側縁部
【図１】
0003881911.tif 000002
【図２】
0003881911.tif 000003
【図３】
0003881911.tif 000004
【図４】
0003881911.tif 000005
【図５】
0003881911.tif 000006
【図６】
0003881911.tif 000007
【図７】
0003881911.tif 000008
【図８】
0003881911.tif 000009
【図９】
0003881911.tif 000010